(57)【要約】【課題】原稿に他のシステムで出力される情報が追記されたときに、当該追記内容を示す画像データを記憶させる際の手間を軽減する。【解決手段】内蔵された記憶媒体又は外部の記憶媒体に予め設けられた記憶領域であるフォルダーに原稿が読み取られた画像データを記憶させる原稿記憶制御部と、原稿が読み取られた画像データからコンピューターに記憶されている外部画像データを識別するための外部画像識別情報を抽出する外部画像識別情報抽出部と、外部画像識別情報に対応付けられた外部画像データをコンピューターから取得する外部画像データ取得部とを備え、原稿記憶制御部は、原稿が読み取られた場合に外部画像識別情報抽出部によって外部画像識別情報が抽出されたときは、当該原稿が読み取られた画像データに代えて、外部画像データ取得部で取得された外部画像データをフォルダーに記憶させる。【選択図】図３
2012209646.tif 000002
【特許請求の範囲】
【請求項１】
原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、当該画像読取装置に接続されたコンピューターに記憶されている外部画像データを識別するための外部画像識別情報を抽出する外部画像識別情報抽出部と、
前記外部画像識別情報抽出部で抽出された外部画像識別情報に対応付けられた外部画像データを前記コンピューターから取得する外部画像データ取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記外部画像データ取得部で取得された外部画像データをフォルダーに記憶させる画像読取装置。
【請求項２】
原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、当該画像読取装置に接続されたコンピューターに記憶されている外部画像データを識別するための外部画像識別情報を抽出する外部画像識別情報抽出部と、
前記外部画像識別情報抽出部で抽出された外部画像識別情報に対応付けられた外部画像データを参照するためのリンク情報を前記コンピューターから取得するリンク情報取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記リンク情報取得部で取得されたリンク情報をフォルダーに記憶させる画像読取装置。
【請求項３】
フォルダーを識別するためのフォルダー識別情報を取得するフォルダー識別情報取得部と、
前記フォルダー識別情報取得部で取得されたフォルダー識別情報に対応付けられた外部画像データ及び当該外部画像データを参照するためのリンク情報を前記コンピューターから取得する外部フォルダーデータ取得部と、
を更に備え、
前記原稿記憶制御部は、更に、前記外部フォルダーデータ取得部で取得された外部画像データ及び当該外部画像データを参照するためのリンク情報を、当該取得に用いたフォルダー識別情報で識別されるフォルダーに記憶させる請求項１又は２に記載の画像読取装置。
【請求項４】
原稿を読み取る原稿読取部を備えた画像読取装置において実行可能な、画像データの記憶制御を実装した制御プログラムであって、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御ステップと、
原稿が前記原稿読取部によって読み取られた画像データから、当該画像読取装置に接続されたコンピューターに記憶されている外部画像データを識別するための外部画像識別情報を抽出する外部画像識別情報抽出ステップと、
前記外部画像識別情報抽出ステップで抽出された外部画像識別情報に対応付けられた外部画像データを前記コンピューターから取得する外部画像データ取得ステップと、
を備え、
前記原稿記憶制御ステップは、原稿が前記原稿読取部によって読み取られた場合に、前記外部画像識別情報抽出ステップによって前記外部画像識別情報が抽出されたときは、当該原稿が読み取られた画像データに代えて、前記外部画像データ取得ステップで取得された外部画像データをフォルダーに記憶させる制御プログラム。
【請求項５】
コンピューターと画像読取装置とが接続された画像取り込みシステムであって、
前記コンピューターは、外部画像データを記憶する外部画像データ記憶部を備え、
前記画像読取装置は、
原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、前記外部画像データ記憶部に記憶されている外部画像データを識別するための外部画像識別情報を抽出する外部画像識別情報抽出部と、
前記外部画像識別情報抽出部で抽出された外部画像識別情報に対応付けられた外部画像データを前記外部画像データ記憶部から取得する外部画像データ取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記外部画像データ取得部で取得された外部画像データをフォルダーに記憶させる画像取り込みシステム。
【発明の詳細な説明】
【技術分野】
【０００１】
本発明は、原稿を読み取った画像データをフォルダーに記憶させる技術に関する。
【背景技術】
【０００２】
従来から、原稿をスキャナーで読み取って生成したＰＤＦ等の画像データを、ハードディスクドライブやフラッシュメモリー等に予め設けられた記憶領域であるフォルダーに記憶させる技術が知られている。
【０００３】
また、例えば、下記特許文献１では、追加登録モードが設定された状態で登録済み文書を出力し、自動追加登録モードが設定された状態でイメージスキャナから読み込まれた前記登録済み文書の追加エリアのイメージデータを切出して追加登録する技術が提案されている。
【０００４】
これと同様に、下記特許文献２では、登録文書ファイルの印刷原稿を読み取って画像データを取得してこれに含まれる差し替え位置情報を特定し、さらに、差し替え領域原稿を読み取って画像データを取得し、これに含まれる差し替え領域を抽出し画像処理を施して差し替え領域データを取得し、登録文書ファイルを構成する領域データのうち、差し替え位置情報にかかる位置にある領域データを前記差し替え領域データと差し替えて、これを合成して更新文書ファイルを作成し記憶させる技術が提案されている。
【先行技術文献】
【特許文献】
【０００５】
【特許文献１】特開平３−２３１３８０号公報
【特許文献２】特開２００２−３６６９２８号公報
【発明の概要】
【発明が解決しようとする課題】
【０００６】
しかしながら、上記の技術を適用して、例えば、カルテを原稿として読み取った画像データをフォルダーに記憶して管理している場合に、レントゲン画像やエコー画像等の他のシステムで管理されている撮影画像をカルテに貼り付ける、又は、撮影画像のサイズ上の問題から撮影画像を識別するための識別情報のみをカルテに追記して撮影画像をカルテに添付するときは、当該撮影画像の貼り付け又は添付をフォルダーに記憶されているカルテの画像データにも反映すべく、既に記憶されているカルテの画像データを印刷し、当該印刷したカルテの紙文書から追加エリア又は差し替え位置情報を抽出した後に、他のシステムによって印刷した撮影画像を当該紙文書に貼り付ける、若しくは、撮影画像の識別情報を当該紙文書に記載して、当該紙文書を再び読み取らせる手間、又は、当該紙文書と当該印刷した撮影画像とを、若しくは、当該紙文書と撮影画像の識別情報が記載された紙文書とを、読み取らせる手間が必要であった。
【０００７】
つまり、原稿を読み取った画像データをフォルダーに記憶している場合において、当該原稿に他のシステムから出力される情報が追記されたときに、当該追記内容の画像データを追加してフォルダーに記憶させる際の手間を軽減する余地があった。
【０００８】
そこで、本発明は、このような事情に鑑みてなされたものであり、原稿を読み取った画像データを記憶している場合において、当該原稿に他のシステムで出力される情報が追記されたときに、当該追記内容を示す画像データを記憶させる際の手間を軽減することができる画像読取装置、制御プログラム、及び画像取り込みシステムを提供することを目的とする。
【課題を解決するための手段】
【０００９】
請求項１に記載の発明は、原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、当該画像読取装置に接続されたコンピューターに記憶されている外部画像データを識別するための外部画像識別情報を抽出する外部画像識別情報抽出部と、
前記外部画像識別情報抽出部で抽出された外部画像識別情報に対応付けられた外部画像データを前記コンピューターから取得する外部画像データ取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記外部画像データ取得部で取得された外部画像データをフォルダーに記憶させる画像読取装置である。
【００１０】
請求項４に記載の発明は、原稿を読み取る原稿読取部を備えた画像読取装置において実行可能な、画像データの記憶制御を実装した制御プログラムであって、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御ステップと、
原稿が前記原稿読取部によって読み取られた画像データから、当該画像読取装置に接続されたコンピューターに記憶されている外部画像データを識別するための外部画像識別情報を抽出する外部画像識別情報抽出ステップと、
前記外部画像識別情報抽出ステップで抽出された外部画像識別情報に対応付けられた外部画像データを前記コンピューターから取得する外部画像データ取得ステップと、
を備え、
前記原稿記憶制御ステップは、原稿が前記原稿読取部によって読み取られた場合に、前記外部画像識別情報抽出ステップによって前記外部画像識別情報が抽出されたときは、当該原稿が読み取られた画像データに代えて、前記外部画像データ取得ステップで取得された外部画像データをフォルダーに記憶させる制御プログラムである。
【００１１】
請求項５に記載の発明は、コンピューターと画像読取装置とが接続された画像取り込みシステムであって、
前記コンピューターは、外部画像データを記憶する外部画像データ記憶部を備え、
前記画像読取装置は、
原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、前記外部画像データ記憶部に記憶されている外部画像データを識別するための外部画像識別情報を抽出する外部画像識別情報抽出部と、
前記外部画像識別情報抽出部で抽出された外部画像識別情報に対応付けられた外部画像データを前記外部画像データ記憶部から取得する外部画像データ取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記外部画像データ取得部で取得された外部画像データをフォルダーに記憶させる画像取り込みシステムである。
【００１２】
これらの発明では、原稿を読み取った画像データをフォルダーに記憶している場合に、当該原稿にコンピューターに記憶されている画像が貼り付けられたときは、当該画像を識別するための外部画像識別情報が記載された原稿を原稿読取部によって読み取らせる簡易な手間をかけるだけで、当該読み取らせた画像データから外部画像識別情報を抽出して、コンピューターに記憶されている当該外部画像識別情報に対応付けられた外部画像データをフォルダーに記憶させることができる。
【００１３】
したがって、例えば、カルテを原稿として読み取った画像データをフォルダーに記憶している場合に、レントゲン画像やエコー画像等の他のコンピューターに記憶されている撮影画像が既存のカルテに貼り付けられたときは、当該撮影画像を識別するための外部画像識別情報が記載された原稿を原稿読取部によって読み取らせる簡易な手間をかけるだけで、当該読み取らせた画像データから外部画像識別情報を抽出して、コンピューターに記憶されている当該外部画像識別情報に対応付けられた撮影画像の外部画像データをフォルダーに記憶させることができる。
【００１４】
また、請求項２に記載の発明は、原稿を読み取る原稿読取部と、
当該画像読取装置に内蔵された記憶媒体に予め設けられた記憶領域であるフォルダー、又は、当該画像読取装置に接続される外部の記憶媒体に予め設けられた記憶領域であるフォルダーに、原稿が前記原稿読取部によって読み取られた画像データを記憶させる原稿記憶制御部と、
原稿が前記原稿読取部によって読み取られた画像データから、当該画像読取装置に接続されたコンピューターに記憶されている外部画像データを識別するための外部画像識別情報を抽出する外部画像識別情報抽出部と、
前記外部画像識別情報抽出部で抽出された外部画像識別情報に対応付けられた外部画像データを参照するためのリンク情報を前記コンピューターから取得するリンク情報取得部と、
を備え、
前記原稿記憶制御部は、原稿が前記原稿読取部によって読み取られた場合に、前記外部画像識別情報抽出部によって前記外部画像識別情報が抽出されたときは、当該原稿が読み取られた画像データに代えて、前記リンク情報取得部で取得されたリンク情報をフォルダーに記憶させる画像読取装置である。
【００１５】
この発明では、原稿を読み取った画像データをフォルダーに記憶している場合に、当該原稿にコンピューターに記憶されている画像が添付され、当該添付された画像を識別するための識別情報が当該原稿に追記されたときは、当該画像を識別するための外部画像識別情報が記載された原稿を原稿読取部によって読み取らせる簡易な手間をかけるだけで、当該読み取らせた画像データから外部画像識別情報を抽出して、コンピューターに記憶されている当該外部画像識別情報に対応付けられた外部画像データを参照するためのリンク情報をフォルダーに記憶させることができる。
【００１６】
また、外部画像データそのものをフォルダーに記憶させないため、外部画像データをコンピューターとの間で重複して記憶することによって無駄に多くの記憶領域を消費することを回避することができる。
【００１７】
また、請求項３に記載の発明は、請求項１又は２に記載の画像読取装置であって、フォルダーを識別するためのフォルダー識別情報を取得するフォルダー識別情報取得部と、
前記フォルダー識別情報取得部で取得されたフォルダー識別情報に対応付けられた外部画像データ及び当該外部画像データを参照するためのリンク情報を前記コンピューターから取得する外部フォルダーデータ取得部と、
を更に備え、
前記原稿記憶制御部は、更に、前記外部フォルダーデータ取得部で取得された外部画像データ及び当該外部画像データを参照するためのリンク情報を、当該取得に用いたフォルダー識別情報で識別されるフォルダーに記憶させる。
【００１８】
この発明によれば、フォルダー識別情報取得部で取得されたフォルダー識別情報で識別されるフォルダーに原稿を読み取った画像データを記憶している場合に、コンピューターに記憶されている、当該フォルダー識別情報に対応付けられた外部画像データが示す画像が当該原稿に貼り付けられたとき、又は、当該フォルダー識別情報に対応付けられた外部画像データが示す画像が当該原稿に添付され、当該添付された画像を識別するための識別情報が当該原稿に追記されたときは、当該フォルダー識別情報に対応付けられた外部画像データを識別するための外部画像識別情報が記載された原稿を原稿読取部に読み取らせる手間をかけることなく、当該フォルダー識別情報に対応付けられた外部画像データ、又は、当該外部画像データを参照するためのリンク情報を外部フォルダーデータ取得部によって取得して、当該フォルダー識別情報で識別されるフォルダーに記憶させることができる。
【００１９】
したがって、例えば、カルテを原稿として読み取った画像データを患者毎に異なるフォルダーに記憶している場合に、レントゲン画像やエコー画像等の他のコンピューターに記憶されている、患者及びフォルダーを識別するための患者識別情報に対応付けられた撮影画像がカルテに貼り付けられたときは、当該患者識別情報に対応付けられた撮影画像をそれぞれ識別するための外部画像識別情報が記載された原稿を、それぞれ原稿読取部によって読み取らせる手間をかけることなく、フォルダー識別情報取得部に当該患者識別情報をフォルダー識別情報として取得させ、外部フォルダーデータ取得部によって当該患者識別情報に対応付けられた撮影画像の外部画像データを当該他のコンピューターから取得して、当該患者識別情報で識別されるフォルダーに記憶させることができる。
【発明の効果】
【００２０】
本発明によれば、原稿を読み取った画像データを記憶している場合において、当該原稿に他のシステムで出力される情報が追記されたときに、当該追記内容を示す画像データを記憶させる際の手間を軽減することができる画像読取装置、制御プログラム、及び画像取り込みシステムを提供することが可能になる。
【図面の簡単な説明】
【００２１】
【図１】画像取り込みシステムの一例を示すネットワーク構成図である。
【図２】本発明の第一実施形態に係る画像読取装置の内部構成の一例を示すブロック図である。
【図３】本発明の第一実施形態に係る原稿記憶制御部によって、原稿が読み取られた画像データをフォルダーに記憶させる原稿取込の動作の一例を示すフローチャートである。
【図４】本発明の第二実施形態に係る画像読取装置の内部構成の一例を示すブロック図である。
【図５】本発明の第二実施形態に係る原稿記憶制御部によって、原稿が読み取られた画像データをフォルダーに記憶させる原稿取込の動作の一例を示すフローチャートである。
【図６】本発明の第三実施形態に係る画像読取装置の内部構成の一例を示すブロック図である。
【図７】本発明の第三実施形態に係る原稿記憶制御部によって、原稿が読み取られた画像データをフォルダーに記憶させる原稿取込の動作の一例を示すフローチャートである。
【発明を実施するための形態】
【００２２】
［第一実施形態］
以下、本発明に係る画像取り込みシステム、コンピューター、及び画像読取装置の第一実施形態について図面を参照して説明する。図１に示すように、画像取り込みシステム９は、互いにインターネットやイントラネット等のネットワーク５に接続された本発明に係るコンピューターの一例としての画像サーバー２、カルテサーバー３、パーソナルコンピューター４（以下、ＰＣ）、及び、本発明に係る画像読取装置の一例としての複合機１を備えて構成されている。
【００２３】
尚、本実施形態では、画像取り込みシステム９は、画像サーバー２を１台、カルテサーバー３を１台、ＰＣ４を１台、複合機１を１台備えているが、各装置の台数をこれに限定する趣旨ではない。また、以下では、本発明に係る画像読取装置の一例として、コピー機能、スキャナー機能、プリンター機能等の機能を兼ね備えた複合機について説明するが、これに制限する趣旨ではなく、スキャナー機や、スキャナー機能を兼ね備えたコピー機等の画像読取装置であってもよい。
【００２４】
画像サーバー２は、ハードディスクドライブ等の記憶装置で構成された、例えば、Ｘ線撮影装置で撮影されたレントゲン画像や、超音波検査装置で撮影されたエコー画像等の高精細な医用画像の画像データを記憶する外部画像データ記憶部２１を備えている。
【００２５】
尚、外部画像データ記憶部２１には、更に、ネットワーク５を介して後述するＰＣ４又は複合機１から、当該外部画像データ記憶部２１に記憶されている画像データを参照するためのリンク情報（例えば、当該画像データを参照するためにＷｅｂブラウザに入力するＵＲＬ等）も各画像データに対応付けて記憶されている。
【００２６】
カルテサーバー３は、ハードディスクドライブ等の記憶装置で構成された、複合機１の後述する原稿読取部１１でカルテを読み取った画像データや、後述するＰＣ４において画像サーバー２から取得した医用画像にマーキングする等の編集がなされた後の医用画像の画像データ等、診療内容を示すデータを記憶するカルテデータ記憶部３１を備えている。
【００２７】
ＰＣ４は、主に医師が利用するパーソナルコンピューターであり、ネットワーク５を介して画像サーバー２の外部画像データ記憶部２１にアクセスし、外部画像データ記憶部２１に記憶されている医用画像の画像データをモニタに表示し、当該表示された医用画像を閲覧する、また、患者への説明のために当該医用画像にマーキングする等の編集作業を行うものである。
【００２８】
また、ＰＣ４は、ネットワーク５を介してカルテサーバー３のカルテデータ記憶部３１にアクセスし、カルテデータ記憶部３１に記憶されているカルテの画像データ、つまり、カルテを読み取った画像データをモニタに表示する、又は、上記の編集された医用画像の画像データをカルテデータ記憶部３１に記憶させる。
【００２９】
複合機１は、スキャナー等からなる後述する原稿読取部１１で読み取った原稿の画像データを、複合機１に備えられたメモリーや、ネットワーク５を介して複合機１に接続されたカルテサーバー３又はＰＣ４に備えられたハードディスクドライブ等の記憶装置に記憶させる。
【００３０】
詳述すると、複合機１は、図２に示すように、原稿読取部１１と、画像形成部１２と、入力操作部１３と、記憶部１４と、ネットワークインターフェイス（以下、ネットワークＩ／Ｆ）１５と、制御部１０と、を備えている。
【００３１】
原稿読取部１１は、図略の装置本体の上面と対向する位置に、ＣＣＤ（Charge Coupled Device）ラインセンサや露光ランプ等を有する光学系ユニットを備えている。
【００３２】
原稿読取部１１は、図略の装置本体の上部に設けられたＡＤＦ（Automatic Document Feeder：自動原稿給送装置）による原稿の搬送動作と同期して、原稿が所定の読み取り位置を通過するときに露光ランプを点灯して原稿を照射し、原稿面から反射される１ライン分の反射光をＣＣＤラインセンサで受光して画像データを生成し、当該生成した（読み取った）画像データを制御部１０へ出力する。
【００３３】
画像形成部１２は、原稿読取部１１で読み取られた画像データや、ネットワーク５を介して受信した、ＰＣ４の操作によって画像サーバー２やカルテサーバー３から取得された画像サーバー２やカルテサーバー３に記憶されている外部の画像データ（外部画像データ）に基づいて、記録紙に画像を形成するものである。
【００３４】
具体的には、画像形成部１２は、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えた周知の構成を有する。
【００３５】
入力操作部１３は、記録紙サイズ、倍率、濃度、複写部数などの画像形成条件を入力又は表示するための液晶表示部やテンキー、原稿の読み取り等の機能の実行開始を指示するためのスタートボタン等を有する。
【００３６】
記憶部１４は、ＲＡＭやフラッシュメモリー等のメモリーやハードディスクドライブ等の記憶装置で構成され、原稿読取部１１によって読み取られた画像データを一時的に記憶する、ネットワーク５を介して受信した外部画像データを一時的に記憶する。
【００３７】
また、記憶部１４は、上記のカルテサーバー３に備えられたカルテデータ記憶部３１に代えて、原稿読取部１１でカルテを読み取った画像データや、ＰＣ４において画像サーバー２から取得した医用画像にマーキングする等の編集がなされた後の医用画像の画像データ等、診療内容を示すデータを記憶する。尚、以下では、診療内容を示すデータは、カルテサーバー３に備えられたカルテデータ記憶部３１に記憶されるものとして説明するが、これに限定する趣旨ではない。
【００３８】
ネットワークＩ／Ｆ１５は、ネットワーク５に接続され、１００／１０００Ｂａｓｅ−Ｔ等の通信規格に従ってネットワーク５に接続されたＰＣ４等の外部装置との間でデータの送受信を実行するための通信インターフェイス回路である。
【００３９】
制御部１０は、制御プログラムや複合機１の各種設定情報を記憶するためのフラッシュメモリー等の不揮発性メモリーや一時的にデータを記憶するためのＲＡＭ（Random Access Memory）等のメモリーや、制御プログラムをメモリーから読み出して実行するＣＰＵ等が内蔵されたマイクロコンピュータからなり、ＣＰＵによって制御プログラムを実行することによって、複合機１全体の動作制御を司る。
【００４０】
以下では、ＣＰＵによって制御プログラムを実行することによって、制御部１０が、原稿記憶制御部１０１と、外部画像識別情報抽出部１０２と、原稿種類判別部１０３と、外部画像データ取得部１０４として動作する態様について説明する。
【００４１】
原稿記憶制御部１０１は、記憶部１４又はカルテサーバー３のカルテデータ記憶部３１に予め設けられた記憶領域であるフォルダーに、原稿読取部１１によって原稿が読み取られた画像データを記憶させる。
【００４２】
尚、原稿記憶制御部１０１は、カルテデータ記憶部３１に設けられたフォルダーに画像データを記憶させるときは、ネットワークＩ／Ｆ１５を用いてネットワーク５を介して複合機１に接続されたカルテサーバー３に画像データを送信する。これに対応して、カルテサーバー３は、当該複合機１から送信された画像データを受信すると、当該受信した画像データをカルテデータ記憶部３１に設けられたフォルダーに記憶させる。
【００４３】
原稿種類判別部１０３は、原稿読取部１１によって原稿が読み取られた画像データから、公知の画像認識処理技術を用いて、原稿の予め定められた位置に記載されている原稿の種類を識別するための原稿種類識別情報を読み取り、当該読み取った原稿種類識別情報に従って、当該読み取った原稿の種類を判別する。
【００４４】
具体的には、原稿種類判別部１０３によって判別される原稿の種類として、画像置換用原稿と通常紙文書とが存在する。画像置換用原稿には、左上端部、右上端部、左下端部、又は、右下端部の何れかに画像置換用原稿であることを示す、例えば、矩形や星形等の予め定められたマークが原稿種類識別情報として記載されている。また、画像置換用原稿には、画像サーバー２の外部画像データ記憶部２１に記憶されている外部画像データを識別するための外部画像識別情報が予め定められた位置に記載されている。一方、通常紙文書には、上記の画像置換用原稿に記載されている原稿種類識別情報が、左上端部、右上端部、左下端部、及び、右下端部の何れにも記載されていない。
【００４５】
外部画像識別情報抽出部１０２は、画像置換用原稿が原稿読取部１１によって読み取られた画像データから、公知の画像認識処理技術を用いて、画像置換用原稿の予め定められた位置に記載されている外部画像識別情報を抽出する。
【００４６】
外部画像データ取得部１０４は、外部画像識別情報抽出部１０２で抽出された外部画像識別情報に対応付けられた外部画像データを、画像サーバー２の外部画像データ記憶部２１から取得する。
【００４７】
具体的には、外部画像データ取得部１０４は、外部画像識別情報に対応付けられた外部画像データを送信することを、ネットワークＩ／Ｆ１５を用いてネットワーク５を介して画像サーバー２に要求する。これに対応して、画像サーバー２は、ネットワーク５を介して当該複合機１から送信された外部画像データの送信要求を受信すると、当該送信要求された外部画像データを外部画像データ記憶部２１から取得して、当該取得した外部画像データを要求元の複合機１にネットワーク５を介して送信する。
【００４８】
また、上記の原稿記憶制御部１０１は、画像置換用原稿が原稿読取部１１によって読み取られたときは、当該画像置換用原稿が原稿読取部１１によって読み取られた画像データに代えて、外部画像識別情報抽出部１０２で抽出された当該画像置換用原稿に記載された外部画像識別情報に対応する外部画像データ取得部１０４で取得された外部画像データをフォルダーに記憶させる。
【００４９】
次に、原稿記憶制御部１０１によって、原稿が読み取られた画像データをフォルダーに記憶させる原稿取込の動作について図３を用いて説明する。
【００５０】
入力操作部１３を介して原稿取込の実行指示が入力されると（Ｓ１）、原稿読取部１１は、原稿の読み取り動作を開始し、全原稿の読み取りが完了するまでの間（Ｓ２；ＮＯ）、原稿を一枚ずつ読み取り、読み取った画像データを記憶部１４に一旦記憶させる（Ｓ３、原稿読取ステップ）。
【００５１】
原稿種類判別部１０３は、ステップＳ３で原稿読取部１１によって読み取られた原稿一枚分の画像データから原稿種類識別情報を読み取り、当該読み取った原稿種類識別情報に従って当該読み取られた原稿の種類を判別する（Ｓ４）。
【００５２】
ステップＳ４において、ステップＳ３で原稿読取部１１によって読み取られた一枚分の原稿が通常紙文書であると判別されると（Ｓ４；通常紙文書）、原稿記憶制御部１０１は、ステップＳ３で記憶部１４に記憶された原稿一枚分の画像データを、記憶部１４又はカルテサーバー３のカルテデータ記憶部３１に予め設けられた記憶領域であるフォルダーに記憶させ（Ｓ５、原稿記憶制御ステップ）、ステップＳ２に戻る。
【００５３】
一方、ステップＳ４において、ステップＳ３で原稿読取部１１によって読み取られた一枚分の原稿が画像置換用原稿であると判別されると（Ｓ４；画像置換用原稿）、外部画像識別情報抽出部１０２は、当該画像置換用原稿に記載された外部画像識別情報を抽出する（Ｓ６、外部画像識別情報抽出ステップ）。
【００５４】
次に、外部画像データ取得部１０４は、ステップＳ６で外部画像識別情報抽出部１０２によって抽出された外部画像識別情報に対応付けられた外部画像データを画像サーバー２から取得して、記憶部１４に一旦記憶させる（Ｓ７；外部画像データ取得ステップ）。
【００５５】
そして、原稿記憶制御部１０１は、ステップＳ３で記憶部１４に記憶された原稿一枚分の画像データに代えて、ステップＳ７で記憶部１４に記憶された外部画像データを、記憶部１４又はカルテサーバー３のカルテデータ記憶部３１に予め設けられた記憶領域であるフォルダーに記憶させ（Ｓ８、原稿記憶制御ステップ）、ステップＳ２に戻る。
【００５６】
このように、本構成によれば、原稿を読み取った画像データをフォルダーに記憶している場合に、当該原稿に画像サーバー２に記憶されている画像が貼り付けられたときは、当該画像を識別するための外部画像識別情報が記載された画像置換用原稿を原稿読取部１１によって読み取らせる簡易な手間をかけるだけで、当該読み取らせた画像データから外部画像識別情報を抽出して、画像サーバー２に記憶されている当該外部画像識別情報に対応付けられた外部画像データをフォルダーに記憶させることができる。
【００５７】
したがって、例えば、カルテを原稿として読み取った画像データをフォルダーに記憶している場合に、レントゲン画像やエコー画像等の画像サーバー２に記憶されている撮影画像が既存のカルテに貼り付けられたときは、当該撮影画像を識別するための外部画像識別情報が記載された画像置換用原稿を原稿読取部１１によって読み取らせる簡易な手間をかけるだけで、当該読み取らせた画像データから外部画像識別情報を抽出して、画像サーバー２に記憶されている当該外部画像識別情報に対応付けられた撮影画像の外部画像データをフォルダーに記憶させることができる。
【００５８】
［第二実施形態］
次に、本発明に係る第二実施形態について図４及び図５を用いて説明する。尚、図中において、図２及び図３に示した記号と同記号の構成又は処理については、上記と同一の構成又は処理内容であるものとして説明を省略する。
【００５９】
図４に示すように、本実施形態における制御部１０は、ＣＰＵによって制御プログラムを実行することによって、原稿記憶制御部１０１ａと、外部画像識別情報抽出部１０２と、原稿種類判別部１０３と、リンク情報取得部１０５として動作する。
【００６０】
ここで、リンク情報取得部１０５は、外部画像識別情報抽出部１０２で抽出された外部画像識別情報に対応付けられた外部画像データを参照するためのリンク情報を、画像サーバー２の外部画像データ記憶部２１から取得する。
【００６１】
具体的には、リンク情報取得部１０５は、外部画像識別情報に対応付けられた外部画像データを参照するためのリンク情報を送信することを、ネットワークＩ／Ｆ１５を用いてネットワーク５を介して画像サーバー２に要求する。これに対応して、画像サーバー２は、ネットワーク５を介して当該複合機１から送信されたリンク情報の送信要求を受信すると、当該送信要求されたリンク情報を外部画像データ記憶部２１から取得して、当該取得したリンク情報を要求元の複合機１にネットワーク５を介して送信する。
【００６２】
また、これに合わせて、原稿記憶制御部１０１ａは、画像置換用原稿が読み取られたときは、当該画像置換用原稿が原稿読取部１１によって読み取られた画像データに代えて、外部画像識別情報抽出部１０２で抽出された当該画像置換用原稿に記載された外部画像識別情報に対応する、リンク情報取得部１０５で取得されたリンク情報をフォルダーに記憶させる。
【００６３】
次に、本実施形態の構成において、原稿記憶制御部１０１ａによって、原稿が読み取られた画像データをフォルダーに記憶させる原稿取込の動作について図５を用いて説明する。
【００６４】
ステップＳ４において、原稿種類判別部１０３によって、ステップＳ３で原稿読取部１１によって読み取られた一枚分の原稿が画像置換用原稿であると判別されると（Ｓ４；画像置換用原稿）、外部画像識別情報抽出部１０２は、当該画像置換用原稿に記載された外部画像識別情報を抽出する（Ｓ６、外部画像識別情報抽出ステップ）。
【００６５】
次に、リンク情報取得部１０５は、ステップＳ６で外部画像識別情報抽出部１０２によって抽出された外部画像識別情報に対応付けられた外部画像データを参照するためのリンク情報を画像サーバー２から取得して、記憶部１４に一旦記憶させる（Ｓ９；リンク情報取得ステップ）。
【００６６】
そして、原稿記憶制御部１０１ａは、ステップＳ３で記憶部１４に記憶された原稿一枚分の画像データに代えて、ステップＳ９で記憶部１４に記憶された外部画像データを参照するためのリンク情報を、カルテサーバー３のカルテデータ記憶部３１に予め設けられた記憶領域であるフォルダーに記憶させ（Ｓ１０、原稿記憶制御ステップ）、ステップＳ２に戻る。
【００６７】
このように、本構成によれば、原稿を読み取った画像データをフォルダーに記憶している場合に、当該原稿に画像サーバー２に記憶されている画像が添付され、当該添付された画像を識別するための識別情報が当該原稿に追記されたときは、当該添付された画像を識別するための外部画像識別情報が記載された画像置換用原稿を原稿読取部１１によって読み取らせる簡易な手間をかけるだけで、当該読み取らせた画像データから外部画像識別情報を抽出して、画像サーバー２に記憶されている当該外部画像識別情報に対応付けられた外部画像データを参照するためのリンク情報をフォルダーに記憶させることができる。
【００６８】
また、外部画像データそのものをフォルダーに記憶させないため、外部画像データを画像サーバー２との間で重複して記憶することによって無駄に多くの記憶領域を消費することを回避することができる。
【００６９】
［第三実施形態］
次に、本発明に係る第三実施形態について図６及び図７を用いて説明する。尚、図中において、図２乃至図５に示した記号と同記号の構成又は処理については、上記と同一の構成又は処理内容であるものとして説明を省略する。
【００７０】
本実施形態において、カルテサーバー３のカルテデータ記憶部３１には、患者毎にフォルダーが設けられている。各フォルダーには、当該各フォルダーに対応する患者のカルテの画像データ、及び、画像サーバー２に記憶されている当該患者に対応付けられた外部画像データや当該外部画像データを参照するためのリンク情報が記憶される。
【００７１】
図６に示すように、本実施形態における制御部１０は、ＣＰＵによって制御プログラムを実行することによって、原稿記憶制御部１０１ｂと、外部画像識別情報抽出部１０２と、原稿種類判別部１０３と、外部画像データ取得部１０４と、リンク情報取得部１０５と、フォルダー識別情報取得部１０６と、外部フォルダーデータ取得部１０７として動作する。
【００７２】
原稿種類判別部１０３は、第一実施形態及び第二実施形態における構成と同様に、原稿読取部１１によって原稿が読み取られた画像データから、公知の画像認識処理技術を用いて、原稿の予め定められた位置に記載されている原稿の種類を識別するための原稿種類識別情報を読み取り、当該読み取った原稿種類識別情報に従って、当該読み取った原稿の種類を判別する。
【００７３】
ただし、本実施形態では、原稿種類判別部１０３で判別される原稿の種類として、２種類の画像置換用原稿と、後述するフォルダー識別情報を入力するために用いられるセパレータ原稿と、上記の通常紙文書と、が存在する。
【００７４】
画像置換用原稿は、当該画像置換用原稿が原稿読取部１１で読み取られた画像データに代えて、当該画像置換用原稿に記載された外部画像識別情報が示す外部画像データをフォルダーに記憶させるための画像データ置換用画像置換用原稿と、当該画像置換用原稿が原稿読取部１１で読み取られた画像データに代えて、当該画像置換用原稿に記載された外部画像識別情報が示す外部画像データを参照するためのリンク情報をフォルダーに記憶させるためのリンク情報置換用画像置換用原稿と、の２種類が存在し、それぞれ異なる原稿種類識別情報が左上端部、右上端部、左下端部、又は、右下端部の何れかに記載されている。
【００７５】
セパレータ原稿は、患者を識別するための患者識別情報、つまり、カルテデータ記憶部３１のフォルダーを識別するためのフォルダー識別情報が予め定められた位置に記載され、後述するように、当該セパレータ原稿以降に原稿読取部１１によって読み取られた原稿の画像データを、当該セパレータ原稿に記載されたフォルダー識別情報で識別されるフォルダーに記憶させるために利用される。
【００７６】
また、セパレータ原稿には、左上端部、右上端部、左下端部、又は、右下端部の何れかに当該セパレータ原稿を識別するための、上記の画像データ置換用画像置換用原稿、上記のリンク情報置換用画像置換用原稿とは異なる原稿種類識別情報が記載されている。
【００７７】
フォルダー識別情報取得部１０６は、カルテデータ記憶部３１のフォルダーを識別するためのフォルダー識別情報を取得する。
【００７８】
具体的には、フォルダー識別情報取得部１０６は、原稿種類判別部１０３によって、原稿読取部１１によって読み取られた画像データから読み取った、左上端部、右上端部、左下端部、又は、右下端部の何れかに記載された原稿種類識別情報に従って、当該読み取られた原稿の種類がセパレータ原稿であると判断されたときに、当該セパレータ原稿が読み取られた画像データから、公知の画像認識処理技術を用いて、当該セパレータ原稿の予め定められた位置に記載されている患者識別情報を抽出して、当該抽出した患者識別情報をフォルダー識別情報として取得する。
【００７９】
外部フォルダーデータ取得部１０７は、フォルダー識別情報取得部１０６で取得されたフォルダー識別情報が示す患者識別情報に対応付けられた外部画像データ及び当該外部画像データを参照するためのリンク情報を画像サーバー２から取得する。
【００８０】
具体的には、外部フォルダーデータ取得部１０７は、患者識別情報に対応付けられた外部画像データ及び当該外部画像データを参照するためのリンク情報を送信することを、ネットワークＩ／Ｆ１５を用いてネットワーク５を介して画像サーバー２に要求する。これに対応して、画像サーバー２は、ネットワーク５を介して当該複合機１から送信された患者識別情報に対応付けられた外部画像データ及び当該外部画像データを参照するためのリンク情報の送信要求を受信すると、当該送信要求された患者識別情報に対応付けられた外部画像データを外部画像データ記憶部２１から取得して、当該取得した外部画像データを要求元の複合機１にネットワーク５を介して送信する。
【００８１】
原稿記憶制御部１０１ｂは、原稿が原稿読取部１１によって読み取られた場合に、フォルダー識別情報取得部１０６で取得されたフォルダー識別情報が示す患者識別情報に対応付けられた、外部フォルダーデータ取得部１０７で取得された外部画像データ及び当該外部画像データを参照するためのリンク情報を、カルテサーバー３のカルテデータ記憶部３１に設けられた、当該フォルダー識別情報で識別されるフォルダーに記憶させる。
【００８２】
更に、原稿記憶制御部１０１ｂは、画像データ置換用画像置換用原稿が原稿読取部１１によって読み取られたときは、当該画像データ置換用画像置換用原稿が原稿読取部１１によって読み取られた画像データに代えて、外部画像識別情報抽出部１０２で抽出された当該画像置換用原稿に記載された外部画像識別情報に対応する、外部画像データ取得部１０４で取得された外部画像データを、フォルダー識別情報取得部１０６で取得されたフォルダー識別情報で識別されるフォルダーに記憶させる。
【００８３】
一方、原稿記憶制御部１０１ｂは、リンク情報置換用画像置換用原稿が原稿読取部１１によって読み取られたときは、当該リンク情報置換用画像置換用原稿が原稿読取部１１によって読み取られた画像データに代えて、外部画像識別情報抽出部１０２で抽出された当該画像置換用原稿に記載された外部画像識別情報に対応する、リンク情報取得部１０５で取得されたリンク情報を、フォルダー識別情報取得部１０６で取得されたフォルダー識別情報で識別されるフォルダーに記憶させる。
【００８４】
次に、本実施形態の構成において、原稿記憶制御部１０１ｂによって、原稿が読み取られた画像データをフォルダーに記憶させる原稿取込の動作について図７を用いて説明する。
【００８５】
ステップＳ４において、原稿種類判別部１０３によって、ステップＳ３で原稿読取部１１によって読み取られた一枚分の原稿がセパレータ原稿であると判別されると（Ｓ４；セパレータ原稿）、フォルダー識別情報取得部１０６は、当該セパレータ原稿が読み取られた画像データから、当該セパレータ原稿の予め定められた位置に記載されている患者識別情報を抽出して、当該抽出した患者識別情報をフォルダー識別情報として取得し、当該フォルダー識別情報を記憶部１４に一旦記憶させる（Ｓ１１）。
【００８６】
次に、外部フォルダーデータ取得部１０７は、ステップＳ１１において記憶部１４に記憶されたフォルダー識別情報が示す患者識別情報に対応付けられた外部画像データ及び当該外部画像データを参照するためのリンク情報を画像サーバー２から取得して、記憶部１４に一旦記憶させる（Ｓ１２、外部フォルダーデータ取得ステップ）。
【００８７】
そして、原稿記憶制御部１０１ｂは、ステップＳ３で記憶部１４に記憶された原稿一枚分の画像データに代えて、ステップＳ１２で記憶部１４に記憶された外部画像データ及び当該外部画像データを参照するためのリンク情報を、カルテサーバー３のカルテデータ記憶部３１に設けられた、ステップＳ１１において記憶部１４に記憶されたフォルダー識別情報で識別されるフォルダーに記憶させ（Ｓ１３、原稿記憶制御ステップ）、ステップＳ２に戻る。
【００８８】
尚、ステップＳ４において、原稿種類判別部１０３によって、ステップＳ３で原稿読取部１１によって読み取られた一枚分の原稿が通常紙文書であると判別されると（Ｓ４；通常紙文書）、原稿記憶制御部１０１ｂは、ステップＳ３で記憶部１４に記憶された原稿一枚分の画像データを、カルテサーバー３のカルテデータ記憶部３１に設けられた、ステップＳ１１において記憶部１４に記憶されたフォルダー識別情報で識別されるフォルダーに記憶させ（Ｓ１４、原稿記憶制御ステップ）、ステップＳ２に戻る。
【００８９】
また、ステップＳ４において、原稿種類判別部１０３によって、ステップＳ３で原稿読取部１１によって読み取られた一枚分の原稿が画像データ置換用画像置換用原稿であると判別されると（Ｓ４；画像データ置換用画像置換用原稿）、上記のステップＳ６とステップＳ７が実行された後、原稿記憶制御部１０１ｂは、ステップＳ３で記憶部１４に記憶された原稿一枚分の画像データに代えて、ステップＳ７で記憶部１４に記憶された外部画像データを、カルテサーバー３のカルテデータ記憶部３１に設けられた、ステップＳ１１において記憶部１４に記憶されたフォルダー識別情報で識別されるフォルダーに記憶させ（Ｓ１５、原稿記憶制御ステップ）、ステップＳ２に戻る。
【００９０】
また、ステップＳ４において、原稿種類判別部１０３によって、ステップＳ３で原稿読取部１１によって読み取られた一枚分の原稿がリンク情報置換用画像置換用原稿であると判別されると（Ｓ４；リンク情報置換用画像置換用原稿）、上記のステップＳ６とステップＳ９が実行された後、原稿記憶制御部１０１ｂは、ステップＳ３で記憶部１４に記憶された原稿一枚分の画像データに代えて、ステップＳ９で記憶部１４に記憶された外部画像データを参照するためのリンク情報を、カルテサーバー３のカルテデータ記憶部３１に設けられた、ステップＳ１１において記憶部１４に記憶されたフォルダー識別情報で識別されるフォルダーに記憶させ（Ｓ１６、原稿記憶制御ステップ）、ステップＳ２に戻る。
【００９１】
つまり、セパレータ原稿に記載された患者識別情報に対応付けられた外部画像データ及び当該外部画像データを参照するためのリンク情報が、カルテサーバー３のカルテデータ記憶部３１に設けられた、当該患者識別情報が示すフォルダー識別情報で識別されるフォルダーに記憶される。
【００９２】
また、セパレータ原稿以降に原稿読取部１１によって読み取られた原稿の画像データ、セパレータ原稿以降に原稿読取部１１によって読み取られた画像データ置換用画像置換用原稿に記載された外部画像識別情報が示す外部画像データ、及び、セパレータ原稿以降に原稿読取部１１によって読み取られた画像データ置換用画像置換用原稿に記載された外部画像識別情報が示す外部画像データを参照するためのリンク情報が、当該セパレータ原稿に記載された患者識別情報が示すフォルダー識別情報で識別されるフォルダーに記憶される。
【００９３】
このように、本構成によれば、フォルダー識別情報取得部１０６で取得されたフォルダー識別情報で識別されるフォルダーに原稿を読み取った画像データを記憶している場合に、画像サーバー２に記憶されている、当該フォルダー識別情報に対応付けられた外部画像データが示す画像が当該原稿に貼り付けられたとき、又は、当該フォルダー識別情報に対応付けられた外部画像データが示す画像が当該原稿に添付され、当該添付された画像を識別するための識別情報が当該原稿に追記されたときは、当該フォルダー識別情報に対応付けられた外部画像データを識別するための外部画像識別情報が記載された画像置換用原稿を原稿読取部１１に読み取らせる手間をかけることなく、当該フォルダー識別情報に対応付けられた外部画像データ、又は、当該外部画像データを参照するためのリンク情報を外部フォルダーデータ取得部１０７によって取得して、当該フォルダー識別情報で識別されるフォルダーに記憶させることができる。
【００９４】
したがって、例えば、カルテを原稿として読み取った画像データを患者毎に異なるフォルダーに記憶している場合に、レントゲン画像やエコー画像等の画像サーバー２に記憶されている、患者及びフォルダーを識別するための患者識別情報に対応付けられた撮影画像がカルテに貼り付けられたときは、当該患者識別情報に対応付けられた撮影画像をそれぞれ識別するための外部画像識別情報が記載された原稿を、それぞれ原稿読取部１１によって読み取らせる手間をかけることなく、フォルダー識別情報取得部１０６に当該患者識別情報をフォルダー識別情報として取得させ、外部フォルダーデータ取得部１０７によって当該患者識別情報に対応付けられた撮影画像の外部画像データを画像サーバー２から取得して、当該患者識別情報で識別されるフォルダーに記憶させることができる。
【００９５】
また、画像サーバー２に記憶されている、当該フォルダー識別情報が示す患者識別情報に対応付けられていない画像が原稿に貼り付けられ、又は、当該患者識別情報に対応付けられていない画像が当該原稿に添付され、当該添付された画像を識別するための識別情報が当該原稿に追記されたときであっても、当該患者識別情報に対応付けられていない画像の画像識別情報が記載された画像置換用原稿を原稿読取部１１に読み取らせることによって、当該画像サーバー２に記憶されている画像の外部画像データ、又は、当該外部画像データを参照するためのリンク情報を、当該フォルダー識別情報で識別されるフォルダーに記憶させることができる。
【００９６】
尚、第三実施形態において、フォルダー識別情報取得部１０６がフォルダー識別情報を取得する方法は、上記のようにセパレータ原稿に記載された患者識別情報が示すフォルダー識別情報を取得する例に限定する趣旨ではない。例えば、図７におけるステップＳ１の実行後であってステップＳ２の実行前に、ユーザーによって入力操作部１３を介して入力された患者識別情報、又は、ネットワーク５を介して受信した、ユーザーによるＰＣ４の操作によって入力された患者識別情報をフォルダー識別情報として取得するように構成し、これに合わせて、当該フォルダー識別情報の取得直後に、当該取得されたフォルダー識別情報を用いてステップＳ１１乃至ステップＳ１３を実行し、その後に、ステップＳ２の処理に移行するように構成してもよい。
【００９７】
尚、本発明は、上述の実施形態の構成に限られず種々の変形が可能である。図１乃至図７に示した構成及び処理は、本発明に係る実施形態の例示に過ぎず、本発明を前記実施形態に限定する趣旨ではない。
【符号の説明】
【００９８】
１      複合機（画像読取装置）
１０１，１０１ａ，１０１ｂ  原稿記憶制御部
１０２  外部画像識別情報抽出部
１０４  外部画像データ取得部
１０５  リンク情報取得部
１０６  フォルダー識別情報取得部
１０７  外部フォルダーデータ取得部
１１    原稿読取部
１４    記憶部（当該画像読取装置に内蔵された記憶媒体）
２      画像サーバー（コンピューター）
２１    外部画像データ記憶部
３１    カルテデータ記憶部（当該画像読取装置に接続される外部の記憶媒体）
９      画像取り込みシステム
【図１】
2012209646.tif 000003
【図２】
2012209646.tif 000004
【図３】
2012209646.tif 000005
【図４】
2012209646.tif 000006
【図５】
2012209646.tif 000007
【図６】
2012209646.tif 000008
【図７】
2012209646.tif 000009